(57)【要約】【課題】  １回１回の商品販売毎に商品が異なる対面販売においても、商品販売毎に個体識別情報を入力する作業負担を軽減して、それぞれの商品の個体識別情報を確実に商品ラベルに印字することができるラベル発行システムを提供する。【解決手段】  商品が格納されるパレットに電子棚札１１ａ〜１３ａが取り付けられる。電子棚札１１ａ〜１３ａはパレットに格納される商品に対応するＰＬＵ（Price  Look  Up）コードおよび個体識別情報を記憶する。携帯記憶ユニット７は店員に携帯され、店員が近接センサ１１ｃ〜１３ｃのいずれかに触れることにより対応する超音波送信機１１ｂ〜１３ｂのいずれかからＰＬＵコードおよび個体識別情報を受信し記憶する。携帯記憶ユニット７は、超音波受信機１ａ〜３ａのいずれかに該データを送信する。該データはコントローラ５を介して親機１に出力され該データに基づき商品ラベルの印字が行われる。【選択図】      図１
2005316863.tif 000002
【特許請求の範囲】
【請求項１】
陳列された商品の近傍に設けられ、前記商品の生産履歴についての照会指標となる指標情報を送信する商品情報送信部と、
店員に携帯され、前記陳列された商品を取出したときに、前記商品情報送信部から前記指標情報を受信して記憶し、記憶した前記指標情報を送信する携帯ユニットと、
前記携帯ユニットから受信した前記指標情報をラベルに印字するラベル発行装置と、
を備えたことを特徴とするラベル発行システム。
【請求項２】
前記商品情報送信部が、前記商品の商品番号をも送信し、
前記携帯ユニットが、前記商品情報送信部から前記指標情報とともに前記商品番号をも受信して記憶し、記憶した前記商品番号を前記指標情報とともに送信し、
前記ラベル発行装置が、計量手段を備え、前記携帯ユニットから前記指標情報とともに前記商品番号を受信して、前記商品番号から単価を求め、該単価および前記計量手段によって計量された計量値に基づいて前記商品の値段を算出し、前記指標情報とともに前記値段を前記ラベルに印字すること、
を特徴とする請求項１に記載のラベル発行システム。
【請求項３】
前記商品番号および前記指標情報の送信あるいは受信が、人体を伝送路とする通信によって行われることを特徴とする請求項１に記載のラベル発行システム。
【請求項４】
前記商品が精肉であり、前記指標情報が前記精肉への加工に供された家畜の個体を識別するための個体識別情報であることを特徴とする請求項１に記載のラベル発行システム。
【請求項５】
前記商品を陳列するための品出し作業の際に、前記商品にマーキングされている前記指標情報を読取り、前記商品情報送信部に設定する情報設定手段を備えたことを特徴とする請求項１に記載のラベル発行システム。
【発明の詳細な説明】
【技術分野】
【０００１】
本発明は、主に、スーパーマーケット等の小売店にて商品に貼付する商品ラベルを発行するのに使用され、特に、商品の生産履歴を追跡することを可能にするラベル発行システムに関する。
【背景技術】
【０００２】
近年、食材に関する様々な問題に起因して、消費者の食材に対する意識が高まりを見せている。こうしたことに起因して、例えば、各々の生牛の耳に固有の番号が記された耳票を取り付けて、それにより、固有の個体識別情報を与え、この情報を基に、生牛が解体され精肉として加工された履歴を追跡可能にするトレーサビリティーの確立が重要視されている。
【０００３】
そして、スーパーマーケットといった店舗において、上述したようなトレーサビリティーを実現するために、販売される精肉が加工された履歴を追跡するためのトレーサビリティー情報（指標情報）として、該精肉への加工に供された家畜の個体を識別するための個体識別情報を表示することが重要になる。すなわち、精肉を販売する際に貼付される商品ラベルに、該精肉に加工された牛の個体識別情報を印字することが必要になる。
従来、上記のようなことを実現するには、個体識別情報を値付け装置にその都度入力するか、あるいは、ＰＬＵ（Price  Look  Up）コード（商品番号）に個体識別情報を予め設定しておき、値付け装置がＰＬＵコードから該個体識別情報を参照することにより、商品ラベルに個体識別情報を印字することが必要であった。
【０００４】
しかしながら、精肉のような計量売り商品を対面販売する場合、１回の商品販売毎に商品が異なるので、商品販売毎に個体識別情報を入力する方法によると、作業負担が大きくなるという問題があった。また、精肉のように、一つのＰＬＵコードに対して同時に異なる個体識別情報を持つ商品が店頭に並ぶことがある商品については、ＰＬＵコードに個体識別情報を設定する方法によると、ＰＬＵコードから個体識別情報が一義的に決まらず、ゆえに、ＰＬＵコードから個体識別情報が参照できないという問題があった。
【０００５】
こうしたことに対応して、例えば、特許文献１には、牛が生きていたときに取り付けられていた耳票に記されたバーコードから読み取られた個体識別情報を、加工された肉に取り付けられたＲＦ−ＩＤタグに付与し、トレーに梱包される該肉を計量、値付けする際に、ＲＦ−ＩＤタグから該個体識別情報を読み出し、商品ラベル上に印字してトレーのフィルム上に貼付する計量値付け装置が記載されている。しかし、該公報は、バックルーム作業においてトレーに梱包して販売する精肉の重量および個体識別情報を商品ラベルに印字する技術について開示しており、対面販売を対象にした発明ではないため、前述した問題を解決することはできない。
【特許文献１】特開２００３−２３７１４３号公報
【発明の開示】
【発明が解決しようとする課題】
【０００６】
本発明は、上記事情を考慮してなされたもので、その目的は、１回１回の商品販売毎に商品が異なる対面販売においても、商品販売毎に個体識別情報を入力する作業負担を軽減して、それぞれの商品の個体識別情報を確実に商品ラベルに印字することができるラベル発行システムを提供することにある。
また、本発明の他の目的は、一つのＰＬＵコードに対して同時に異なる個体識別情報を持つ商品が店頭に並ぶことがある商品についても、それぞれの商品の個体識別情報を確実に商品ラベルに印字することができるラベル発行システムを提供することにある。
【課題を解決するための手段】
【０００７】
上記目的を達成するために、この発明では、以下の手段を提案している。
請求項１に係る発明は、陳列された商品の近傍に設けられ、前記商品の生産履歴についての照会指標となる指標情報を送信する商品情報送信部と、店員に携帯され、前記陳列された商品を取出したときに、前記商品情報送信部から前記指標情報を受信して記憶し、記憶した前記指標情報を送信する携帯ユニットと、前記携帯ユニットから受信した前記指標情報をラベルに印字するラベル発行装置とを備えたことを特徴とする。
この発明によれば、陳列された商品を取り出す際に、携帯ユニットが、近傍の商品情報送信部から指標情報を受信して、商品に貼るラベルを発行するラベル発行装置に商品を持っていく際に、携帯ユニットが、受信した指標情報をラベル発行装置に送信する。したがって、指標情報をラベルに印字することが可能となる。
【０００８】
請求項２に係る発明は、請求項１に記載のラベル発行システムであって、前記商品情報送信部が、前記商品の商品番号をも送信し、前記携帯ユニットが、前記商品情報送信部から前記指標情報とともに前記商品番号をも受信して記憶し、記憶した前記商品番号を前記指標情報とともに送信し、前記ラベル発行装置が、計量手段を備え、前記携帯ユニットから前記指標情報とともに前記商品番号を受信して、前記商品番号から単価を求め、該単価および前記計量手段によって計量された計量値に基づいて前記商品の値段を算出し、前記指標情報とともに前記値段を前記ラベルに印字することを特徴とする。
この発明によれば、陳列されている商品を取り出す作業の際に、携帯ユニットが、商品番号も受信し、計量手段を備えるラベル発行装置に送信するため、指標情報に加えて商品番号から参照される商品の単価および計量手段によって計量された重量によって決まる商品の値段を印字することが可能となる。
また、指標情報および商品番号によって、一つのＰＬＵコードに対して同時に異なる指標情報を持つ商品が陳列される場合にも、確実に、正しい指標情報をラベルに印字することが可能となる。
【０００９】
請求項３に係る発明は、請求項１に記載のラベル発行システムであって、前記商品番号および前記指標情報の送信あるいは受信が、人体を伝送路とする通信によって行われることを特徴とする。
この発明によれば、人体として、例えば、店員の指を伝送路として通信するので、非常に操作性をよくすることができ、且つ、商品情報送信部、携帯ユニットおよびラベル発行装置間の指標情報等の通信の確実性を増すことが可能となる。
【００１０】
請求項４に係る発明は、請求項１に記載のラベル発行システムであって、前記商品が精肉であり、前記指標情報が前記精肉への加工に供された家畜の個体を識別するための個体識別情報であることを特徴とする。
この発明によれば、精肉の個体識別情報を携帯ユニットによって、商品情報送信部からラベル発行装置に伝達して、ラベル上に印字することができるので、ラベル上に個体識別情報の表示を必要とする商品についても対応することが可能となる。
【００１１】
請求項５に係る発明は、請求項１に記載のラベル発行システムであって、前記商品を陳列するための品出し作業の際に、前記商品にマーキングされている前記指標情報を読取り、前記商品情報送信部に設定する情報設定手段を備えたことを特徴とする。
この発明によれば、情報設定手段が、商品の指標情報を商品情報送信部に設定するので、１つ１つ異なる指標情報を持つ商品が陳列される可能性がある商品においても、情報設定手段によって、商品情報送信部に陳列される商品に対応した指標情報を設定し、常に更新することが可能となる。
【発明の効果】
【００１２】
請求項１に係る発明によれば、携帯ユニットを、商品情報送信部からラベル発行装置に携帯させることにより指標情報および商品の移動を一緒に行うことが可能となるので、作業効率が高く、且つ、正しい指標情報をラベルに印字することができる。
【００１３】
請求項２に係る発明によれば、指標情報に加えて商品番号から参照される商品の単価および計量手段によって計量された重量によって決まる商品の値段を印字することが可能となるので、指標情報の印字のための作業と、計量値付け作業とを効率的に行うことができる。
また、一つのＰＬＵコードに対して同時に異なる指標情報を持つ商品が陳列される場合にも確実に正しい指標情報をラベルに印字することが可能となるので、上記のような商品においても、トレーサビリティーを確保することができる。
【００１４】
請求項３に係る発明によれば、非常に操作性をよくすることができ、且つ、商品情報送信部、携帯ユニットおよびラベル発行装置間の指標情報等の通信の確実性を増すことが可能となるので、商品情報送信部からラベル発行装置への指標情報等の伝達の不具合を考慮する必要をなくすことができる。
【００１５】
請求項４に係る発明によれば、ラベル上に個体識別情報の表示を必要とする商品である精肉用のラベルを発行することが可能となるので、本発明を精肉販売において利用することができる。
【００１６】
請求項５に係る発明によれば、１つ１つ異なる指標情報を持つ商品が陳列される可能性がある商品においても、情報設定手段によって、商品情報送信部に陳列される商品に対応した指標情報を常に設定することが可能となるので、商品を陳列するための品出し作業の際に、商品の指標情報を読み取って商品情報送信部に設定することにより、商品と指標情報との不一致を回避できる。
【発明を実施するための最良の形態】
【００１７】
以下、図面を参照し、この発明の実施例について説明する。
【実施例１】
【００１８】
図１は、本発明の第１の実施例におけるラベル発行システムの構成を示すブロック図である。ラベル発行システムは、電子秤１〜３（ラベル発行装置）と、超音波受信機１ａ〜３ａ（ラベル発行装置）と、ショーケース４と、コントローラ５（ラベル発行装置）（情報設定手段）と、２線通信ライン６（情報設定手段）と、携帯記憶ユニット７（携帯ユニット）と、ＬＡＮ１０とから構成される。電子秤１〜３は、図２に示すように、ショーケース４の上部に配置される。秤皿１ｂ、２ｂ、３ｂは、電子秤１〜３の上部に設けられ、計量を行おうとする商品が載せられる。客用表示器１ｃ、２ｃ、３ｃは、電子秤１〜３の客側の側面に設けられ、商品の重量、単価、値段、客向けの広告文等が表示される。
【００１９】
図１に示すように、電子秤１〜３は、ＬＡＮ１０を介して相互に接続され、例えば、電子秤１を親として、電子秤２、３を子とする親子システムを構成する。以下、電子秤１を親機１（情報設定手段）といい、電子秤２、３を子機２、３という。後述するように、親機１は、子機２、３に、内部のＲＡＭ１０６に集計ファイル１２２を記憶する構成になっており、子機２、３は、親機１内のＲＡＭ１０６に記憶されているＰＬＵファイル（商品ファイル）１２３から、商品データを呼び出して使用する。
尚、本実施例においては、３台の電子秤により構成されるシステムを想定したが、電子秤は、何台であってもよい。
【００２０】
また、各子機２、３は、ＬＡＮ１０によって親機１を介して、コントローラ５と交信する。コントローラ５は、ショーケース４内の電子棚札１１ａ、１２ａ、１３ａと交信するための２線通信ライン６と接続するために用いられるジャンクションボックス５ａを備えている。
【００２１】
図３は、客側から見たショーケース４の外観図である。電子棚札１１ａ、１２ａ、１３ａは、図３に示すように、ショーケース４内の各商品に対応して配置される。すなわち、電子棚札１１ａは各商品を収納するステンレス製の受け皿（パレット）１１の前端部（客側端部）に固定される。パレット１２、１３についても同様に電子棚札１２ａ、１３ａが固定される。
【００２２】
図４は、電子棚札１１ａ、１２ａ、１３ａ（商品情報送信部）の構成を示すブロック図である。電子棚札１１ａ、１２ａ、１３ａは、演算処理を行うＣＰＵ１３１と、演算処理に用いるプログラムを記憶するＲＯＭ１３３と、演算処理においてデータを一時的に記憶するＲＡＭ１３５と、コントローラ５と交信するために２線通信ライン６と通信を行う電磁誘導通信部１３７と、数値表示部１３０とから構成される。数値表示部１３０は、商品の単価表示等の数値表示を行い、例えば液晶ディスプレイやＬＥＤが用いられる。
【００２３】
電子棚札１１ａ、１２ａ、１３ａは、内部の電磁誘導通信部１３７によって、２線通信ライン６を介してコントローラ５から商品データ、例えば、ＰＬＵコード、単価を受信する。この交信は電磁誘導方式によって行われるので、電子棚札１１ａ、１２ａ、１３ａは独立した完全防水タイプに構成することができ、水洗い可能となっている。
尚、各電子棚札１１ａ、１２ａ、１３ａに送信される商品データとして、親機１のＰＬＵファイルに記憶されているデータがコントローラ５を介して送信される。
【００２４】
図５は、電子棚札１１ａ、１２ａ、１３ａの表示内容を示す図である。電子棚札１１ａ、１２ａ、１３ａの表示内容は、品名ラベル１３２と、広告・宣伝表示を行うＰＯＰラベル１３４と、単価表示部１３６とから構成される。品名ラベル１３２には品名が表示され、例えば「前沢牛ロースステーキ」と表示される。ＰＯＰラベル１３４には販売促進用の広告文が表示され、例えば「本日の奉仕品！」と表示される。
【００２５】
コントローラ５の記憶部には、棚札ＩＤとＰＬＵコードとの対応テーブルが記憶されており、たとえばＰＬＵコード「１２３４」の商品データを送信する場合、前記テーブルを参照してＰＬＵコード「１２３４」に対応する棚札ＩＤ、例えば、「３２１」を呼び出し、この棚札ＩＤによって、棚札を指定してＰＬＵコード「１２３４」の商品データを送信することにより、棚札ＩＤ「３２１」にＰＬＵコード「１２３４」の商品データを送信して表示させることができる。
すなわち、各棚札は自己の棚札ＩＤが指定された商品データを受信してＲＡＭ１３５に記憶し、その全部または一部を品名ラベル１３２または、単価表示部１３６といった表示部に表示する。この例では、品名、単価を表示している。
【００２６】
尚、親機１において商品データ、例えば、単価を変更した場合、変更した商品データ（単価）は直ちに対応する電子棚札に送信され、該当する電子棚札の表示データ（単価）がリアルタイムにて変更される。
本実施例においては、電子棚札１１ａ、１２ａ、１３ａにおいて記憶されているデータは、棚札ＩＤ、ＰＬＵコード、商品名、単価であり、このうちの商品名、単価が電子棚札１１ａ、１２ａ、１３ａに表示されるデータとなる。
【００２７】
図６は、店員側から見たショーケース４の外観図である。パレット１１の店員側端部に超音波送信機１１ｂ（商品情報送信部）が固定される。超音波送信機１１ｂは、電子棚札１１ａおよび近接センサ１１ｃに接続される。また、近接センサ１１ｃが一体に取り付けられ、近接センサ１１ｃに店員の手や指が近接したことを検知すると、電子棚札１１ａに設定されているＰＬＵコードおよび個体識別情報を超音波によって発信する。
パレット１２、１３についても、店員側端部に超音波送信機１２ｂ、１３ｂ（商品情報送信部）が固定される。超音波送信機１２ｂ、１３ｂは、それぞれ、電子棚札１２ａ、１３ａおよび近接センサ１２ｃ、１３ｃに接続され、また、近接センサ１２ｃ、１３ｃがそれぞれ一体に取り付けられ、近接センサ１２ｃ、１３ｃに店員の手や指が近接したことを検知すると、電子棚札１２ａ、１３ａに設定されているＰＬＵコードおよび個体識別情報を超音波によって発信する。
【００２８】
以上のような構成より、超音波送信機１１ｂ、１２ｂ、１３ｂのうちのどれが超音波を発信するか、近接センサ１１ｃ、１２ｃ、１３ｃによって選択される。これにより、客の購入希望商品に対応するＰＬＵコードおよび個体識別情報のみが超音波により発信されることになり、全ての超音波送信機１１ｂ、１２ｂ、１３ｂがＰＬＵコードおよび個体識別情報を発信する構成に比して、後述する、携帯記憶ユニット７において、客の購入希望商品の誤認をなくすことができる。
【００２９】
また、超音波送信機１１ｂ、１２ｂ、１３ｂは、内部にＲＡＭを設けており、少なくともＰＬＵコードと個体識別情報とを記憶することができる。超音波送信機１１ｂ、１２ｂ、１３ｂのＲＡＭ内のＰＬＵコードまたは個体識別情報の設定は、２線通信ライン６を介して、親機１によって行う。
【００３０】
一方、店員は腕時計タイプの携帯記憶ユニット７を自己の利き腕に装着している。
携帯記憶ユニット７は、図７（ａ）に示すように腕時計をイメージした外観の装置であり、超音波ユニット７ａと、液晶表示部７ｂと、リストバンド７ｃとから構成される、携帯記憶ユニット７は、リストバンド７ｃによって店員の利き腕に装着される。
【００３１】
図７（ｂ）は、携帯記憶ユニット７の構成を示すブロック図である。携帯記憶ユニット７は、制御プログラムを書き込んだＲＯＭ７１と、データの一時記憶を行うＲＡＭ７２と、超音波によるデータの送信を行う超音波送信部７３と、超音波によるデータの受信を行う超音波受信部７４と、表示制御部７５と、操作部７６と、各部の制御を行うＣＰＵ７７とから構成される。ＲＡＭ７２には、使用前に、予め携帯記憶ユニット７のＩＤ番号が設定される。表示制御部７５は液晶表示部７ｂを制御し、操作部７６はモード切換ボタン７ｄおよびリセットボタン７ｅからの信号に基づいてＣＰＵ７７を制御する。
【００３２】
携帯記憶ユニット７は、超音波を発している超音波送信機１１ｂ、１２ｂ、１３ｂから、ＰＬＵコードおよび個体識別情報を受信する。そして、少なくともＰＬＵコードと個体
識別情報とをＲＡＭ７２に記憶する。そして、ＲＡＭ７２に記憶したＰＬＵコードおよび個体識別情報を、自己のＩＤ番号と共に、その近傍に超音波信号により発信する。携帯記憶ユニット７は、リセットボタン７ｅが押されない限り、自己のＩＤ番号およびＰＬＵコードならびに個体識別情報を常時、送信する。
【００３３】
そして、図６に示すように、店員用表示器１ｄが、親機１の店員側の側面に設けられ、超音波受信機１ａが、親機１の操作面（店員側）下部の店員が近接可能な位置に配置される。また、図示しない、店員用表示器２ｄ、３ｄが、子機２、３の店員側の側面に設けられ、超音波受信機２ａ、３ａが、子機２、３親機の操作面（店員側）下部の店員が近接可能な位置に、同様に配置される。超音波受信機１ａ、２ａ、３ａは、上述したように、親機１、子機２、３に対応して配置されると共に、図１に示すように、ＬＡＮ１０を介してコントローラ５に接続される。
【００３４】
図６に示すように、超音波受信機１ａ、２ａ、３ａは、店員の指や手が接近すると、携帯記憶ユニット７の信号（携帯記憶ユニット７のＩＤおよびＰＬＵコードならびに個体識別情報）を受信して、自己のＩＤ番号とともにコントローラ５に送信する。コントローラ５は、受信したＩＤ番号を有する超音波受信機が配置されている電子秤に、親機１を介して、受信した、超音波受信機のＩＤ、携帯記憶ユニット７のＩＤ、ＰＬＵコードおよび個体識別情報を送信する。
【００３５】
また、超音波受信機１ａ、２ａ、３ａは、内部にＲＡＭを設けており、超音波受信機１ａ、２ａ、３ａのＩＤ、携帯記憶ユニット７のＩＤ、ＰＬＵコードおよび個体識別情報を記憶することができる。
【００３６】
図８は親機１、子機２、３の構成を示すブロック図である。
前述したように、親機１は、子機２、３に比して、内部のＲＡＭ１０６に集計ファイル１２２およびＰＬＵファイル１２３を記憶していること以外は、子機２、３と同様の構成なので、以下、親機１の構成について説明する。
【００３７】
親機１は、演算処理を行うＣＰＵ１０２と、演算処理に用いるプログラムを記憶するＲＯＭ１０４と、演算処理においてデータを一時的に記憶するＲＡＭ１０６と、計量部１０８（計量手段）と、ＬＡＮボード１１０と、表示操作部１１２と、ラベルを印字するプリンタである印字部１１４とから構成される。
【００３８】
計量部１０８は秤皿１ｂに載せられた物品の重量を、重量センサからの信号を演算して求める。ＬＡＮボード１１０は、親機１とＬＡＮ１０とのインターフェースを行う。表示操作部１１２は、客用表示器１ｃ、店員用表示器１ｄ、タッチパネル１ｅとの入出力制御を行う。ＲＡＭ１０６は、実績データの集計の為に集計ファイル１２２およびＰＬＵファイル１２３を記憶し、計量販売処理の為に、画面のキーをプリセットしたプリセットキーファイル１２４を記憶し、また、電子秤のＩＤ、携帯記憶ユニット７のＩＤ、ＰＬＵコードおよび個体識別情報を記憶する。
【００３９】
図９は親機１の店員用表示器１ｄの表示内容を示す図である。店員用表示器１ｄは、タッチパネル１ｅとして、プリセットキーファイル１２４に記憶されたキーの画面に基づいて、商品の単価が予め記憶してあるプリセットキー４６１とテンキー４８１とが表示される。テンキー４８１は、数字を入力するものであり、併せてファンクションキーが設けられている。
【００４０】
図８に示すように、ＣＰＵ１０２は、ＲＡＭ１０６より、ＰＬＵコードおよび個体識別情報を読み出し、且つ、ＲＡＭ１０６を介して、ＰＬＵファイル１２３から商品データを読み出して、該ＰＬＵコードから参照される商品名、バーコード、値段と、個体識別情報とを印字部１１４に出力する。印字部１１４は該データに基づいて、図１０に示すような、商品名、バーコード、値段、個体識別情報が表示された商品ラベル９を印字、発行する。
【００４１】
尚、子機２、３の構成要素は、以下に示すように、親機１の各構成要素と対応する。すなわち、客用表示器２ｃ、３ｃが、客用表示器１ｃと、店員用表示器２ｄ、３ｄが、店員用表示器１ｄと、タッチパネル２ｅ、３ｅが、タッチパネル１ｅと、それぞれ対応する。また、店員用表示欄４２２、４２３が、店員用表示欄４２１と、プリセットキー４６２、４６３が、プリセットキー４６１と、テンキー４８２、４８３が、テンキー４８１と、それぞれ対応する。
【００４２】
尚、超音波受信機１ａ、２ａ、３ａ、人体内信号受信機１ｆ、２ｆ、３ｆ、超音波送信機１１ｂ、１２ｂ、１３ｂおよび人体内信号送信機１１ｄ、１２ｄ、１３ｄは、それぞれ不図示のＣＰＵ、ＲＯＭ、ＲＡＭおよび有線通信部を備えて、ＲＯＭに格納されているプログラムにより、自分自身を制御できるようになっている。
【００４３】
次に、本実施例におけるラベル発行システムの動作を、図１１に示すフローチャートを参照して説明する。
【００４４】
先ず、ラベル発行システムの各部の電源が投入され、コントローラ５と電子棚札１１ａ〜１３ａとの通信が可能になる、そして、親機１は、コントローラ５から電子棚札１１ａ〜１３ａへの通信経路を介して、超音波送信機１１ｂ〜１３ｂのＲＡＭに個体識別情報の設定を行う。コントローラ５は電子棚札１１ａ〜１３ａに商品データを送信し、商品名および単価を表示させる。そして、ラベル発行システムの動作が開始する。尚、店員は、利き腕に携帯記憶ユニット７を装着する。
【００４５】
先ず、店員が、客から購入希望商品および購入希望量、または購入希望金額を聞く。（ステップＳＰ１）。次に、店員が、購入希望商品を、ショーケース４の中にある、購入希望商品が収納されているパレットから取り出す（ステップＳＰ２）。ここでは、図６に示すように、パレット１１に購入希望商品が収納されているとする。次に、店員は、利き腕の指を、パレット１１に取り付けられている近接センサ１１ｃに触れて、購入希望商品をショーケース４の中から取り出す。このとき、近接センサ１１ｃに店員の指が近接したことにより、超音波送信機１１ｂはＰＬＵコードおよび個体識別情報を送信し、該データが携帯記憶ユニット７に受信されて、ＰＬＵコードおよび個体識別情報がＲＡＭ７２に記憶される（ステップＳＰ３）。その後、携帯記憶ユニット７は、自己のＩＤ、ＰＬＵコードおよび個体識別情報を超音波によって常時、送信している。（ステップＳＰ４）
【００４６】
次に、店員は、親機１または子機２、３のうち、購入希望商品の近くにある電子秤か、または空いている電子秤があるときに、該電子秤の秤皿の上に購入希望商品を載せる（ステップＳＰ５）。ここでは、図６に示すように、親機１が空いていて、親機１によって計量が行われるものとする。次に、店員は、親機１の下部に取り付けられた超音波受信機１ａに利き腕の指を接近させる。このとき、携帯記憶ユニット７のＩＤと共に、ＲＡＭ７２に記憶されているＰＬＵコードおよび個体識別情報が超音波によって、超音波受信機１ａに受信される（ステップＳＰ６）。そして、超音波受信機１ａは、自己のＩＤ番号（秤番号）と共に、受信した携帯記憶ユニット７のＩＤ、ＰＬＵコードおよび個体識別情報をコントローラ５に送信する（ステップＳＰ７）。
【００４７】
そして、コントローラ５は、該データを受信し、受信した秤番号、ＰＬＵコードに対応する商品データ（品名、単価）および個体識別情報を、親機１に送信する。親機１は、受信した秤番号に基づいて、商品データおよび個体識別情報を当該秤に送信する。（ステップＳＰ８）。そして、受信した電子秤は、商品データおよび個体識別情報を、客用表示器および店員用表示器に表示する（ステップＳＰ９）。ここでは、親機１によって計量が行われるので、上述した秤番号が１となり、親機１は商品データおよび個体識別情報を自機内の客用表示器１ｃおよび店員用表示器１ｄに表示する。尚、子機２、３によって計量が行われる場合は、秤番号が２または３となり、親機１は子機２または３に商品データおよび個体識別情報を送信し、子機２の客用表示器２ｃおよび店員用表示器２ｄ、または子機３の客用表示器３ｃおよび店員用表示器３ｄに該データを表示する。
【００４８】
次に、店員は、表示されたデータ（単価）に基づいて、商品を客が希望する量、または金額だけ計量する（ステップＳＰ１０）。次に、印字部１１４において、商品データおよび個体識別情報に基づいて、図１０に示すような商品ラベル９が印字、発行され、店員は該商品ラベルを商品に貼付して、客から代金を受け取る等の計量販売処理を実行する（ステップＳＰ１１）。そして、処理を終了する。
【００４９】
尚、上述した携帯記憶ユニット７のＩＤ番号は、これを装着している店員の識別データ、すなわち店員番号として用いられる。たとえば、どの店員が商品をどの秤でどれだけ計量したかの集計を行うことができ、店員毎の各種実績データを集計することができる。
また、同一の客が複数の商品を異なる電子秤によって購入した際、最後に商品を購入した電子秤によってまとめて一括して精算する、いわゆるフローティング処理をする場合の店員番号として用いられる。
【００５０】
このように、上記実施例によれば、客の購入希望商品が収納されているパレットに取り付けられている超音波送信機から発信されるＰＬＵコードおよび個体識別情報が、携帯記憶ユニット７に記憶され、商品と一緒に、計量される電子秤に設定されて、該ＰＬＵコードに対応する商品データおよび個体識別情報が、商品ラベルに印字、発行されるので、1つのＰＬＵコードに対して同時に異なる個体識別情報を持つ商品が店頭に並んでも、それぞれの個体識別情報を確実に商品ラベルに印字させることができる。
【００５１】
尚、本実施例においては、店員がどのパレットから商品を取り出すか、つまり、客の購入希望商品がどれであるかを、近接センサ１ｃ、２ｃ、３ｃによって検知することを想定したが、物品近接センサを用いて商品を取り出されたパレットを検知してもよい。例えば、反射型光センサを用いて、物品の反射光の変化により、パレットからの物品の取り出しを検知することが考えられる。
【実施例２】
【００５２】
次に、本発明の第２の実施例について説明する。
この第２の実施例によるラベル発行システムのブロック構成（図１２）および動作は、第１の実施例と類似しているが、構成要素が以下のように変更されている。すなわち、第１の実施例における超音波送信機１１ｂ〜１３ｂが人体内信号送信機１１ｄ〜１３ｄに、携帯記憶ユニット７が携帯記憶ユニット８（携帯ユニット）に、超音波受信機１ａ〜３ａが人体内信号受信機１ｆ〜３ｆにそれぞれ変更されている。以上の変更は、電子棚札１１ａ〜１３ａからコントロールボックス５へのＰＬＵコードおよび個体識別情報の情報伝達の手段が、超音波による伝送から、人体内信号伝送に変更されるために実施される。以下、図面を参照して、本実施例について説明する。
【００５３】
ここで、人体内信号伝送の原理について説明する。図１３（ａ）は、人体内信号伝送の概念を示すブロック図である。人体内信号伝送は、人体内信号送信部８３の人体（人間の皮膚）Ｂｄに接触可能な電極および人体内信号受信部８４の人体Ｂｄに接触可能な電極が共に人体Ｂｄが接触して、人体内信号送信部８３から人体内信号受信部８４へ、人体Ｂｄを導波管として、ＦＭ（Frequency  Modulation）電波を伝送することにより実現される。
【００５４】
図１３（ｂ）は、人体内信号送信部８３の構成を示すブロック図である。人体内信号送信部８３はＦＭ変調部８３１と、アンプ８３２とから構成される。ＦＭ変調部８３１は入力端Ｉｎｐｕｔから入力した信号によって、キャリアにＦＭ変調をかけて、アンプ８３２に出力する。人体内においては、２ＭＨｚ〜２０ＭＨｚの範囲内において、伝送の効率がよいため、キャリア周波数は、例えば、１０．７ＭＨｚとされる。アンプ８３２は、ＦＭ変調部８３１の出力波を増幅する。アンプ８３２の出力端は、人体Ｂｄに接触可能な電極に接続される。
【００５５】
図１３（ｃ）は、人体内信号受信部８４の構成を示すブロック図である。人体内信号受信部８４はアンプ８４１と、ＦＭ復調部８４２とから構成される。アンプ８４１は、入力端を人体Ｂｄに接触可能な電極に接続され、出力端をＦＭ復調部８４２に接続され、図１３（ａ）において、人体内信号送信部８３から人体Ｂｄを介して伝送されてきたＦＭ信号を増幅して、ＦＭ復調部８４２に出力する。ＦＭ復調部８４２は、アンプ８４１から入力したＦＭ信号を復調して、ＦＭ変調部８３１にて変調した信号を復元し、出力端Ｏｕｔｐｕｔに出力する。
【００５６】
図１４は、店員側から見たショーケース４の外観図である。パレット１１の店員側端部に人体内信号送信機１１ｄ（商品情報送信部）が固定される。人体内信号送信機１１ｄは、電極１１ｅが一体に取り付けられ、また、電子棚札１１ａおよび電極１１ｅに接続される。人体内信号送信機１１ｄは、内部に人体内信号送信部８３と同構成の人体内信号送信部８３ａを備え、電子棚札１１ａに設定されているＰＬＵコードおよび個体識別情報によってＦＭ変調を行い、変調したＦＭ電波を電極１１ｅに出力している。
パレット１２、１３についても、店員側端部に人体内信号送信機１２ｄ、１３ｄ（商品情報送信部）が固定される。人体内信号送信機１２ｄ、１３ｄは、それぞれ、電極１２ｅ、１３ｅが一体に取り付けられ、また、電子棚札１２ａ、１３ａおよび電極１２ｅ、１３ｅにそれぞれ接続される。人体内信号送信機１２ｄ、１３ｄは、内部に人体内信号送信部８３と同構成の人体内信号送信部８３ａを備え、電子棚札１２ａ、１３ａに設定されているＰＬＵコードおよび個体識別情報によってＦＭ変調を行い、変調したＦＭ電波をそれぞれ電極１２ｅ、１３ｅに出力している。
【００５７】
また、人体内信号送信機１１ｄ、１２ｄ、１３ｄは、第１の実施例における超音波送信機１１ｂ、１２ｂ、１３ｂと同様に、内部にＲＡＭを設けており、少なくともＰＬＵコードと個体識別情報とを記憶することができる。人体内信号送信機１１ｄ、１２ｄ、１３ｄのＲＡＭ内のＰＬＵコードまたは個体識別情報の設定は、第１の実施例における超音波送信機１１ｂ、１２ｂ、１３ｂと同様に、２線通信ライン６を介して、親機１によって行う。
【００５８】
一方、店員は腕時計タイプの携帯記憶ユニット８を自己の利き腕に装着している。
携帯記憶ユニット８は、図１５（ａ）に示すように腕時計をイメージした外観の装置であり、人体内信号伝送ユニット８ａと、液晶表示部７ｂと、リストバンド７ｃとから構成される、携帯記憶ユニット８は、リストバンド７ｃによって店員の利き腕に装着される。また、図１５（ｂ）に示すように、人体内信号伝送ユニット８ａの液晶表示部７ｂが取り付けられている面の反対の面に、電極８８、８９が店員の皮膚に当接するように取り付けられる。
尚、本実施例における携帯記憶ユニット８は、第１の実施例における携帯記憶ユニット７に比して、外部とのデータの交信の手段が、超音波から前述した人体内信号伝送に変更されているところが異なる。以下、携帯記憶ユニット８において、携帯記憶ユニット７と異なる構成要素のみ、符号を変更し、それ以外の変更のない構成要素については、図７に示す携帯記憶ユニット７の構成要素と同一の符号を付している。
【００５９】
図１５（ｃ）は、携帯記憶ユニット８の構成を示すブロック図である。携帯記憶ユニット７は、制御プログラムを書き込んだＲＯＭ８１と、データの一時記憶を行うＲＡＭ７２と、人体内信号伝送によるデータの送信を行う人体内信号送信部８３と、人体内信号伝送によるデータの受信を行う人体内信号受信部８４と、表示制御部７５と、操作部７６と、各部の制御を行うＣＰＵ８７と、人体内信号送信部８３に接続される電極８８と、人体内信号受信部８４に接続される電極８９とから構成される。ＲＡＭ７２には、使用前に、予め携帯記憶ユニット８のＩＤ番号が設定される。操作部７６はモード切換ボタン７ｄおよびリセットボタン７ｅからの信号に基づいてＣＰＵ８７を制御する。
【００６０】
携帯記憶ユニット８は、図１６（ａ）に示すように、店員が例えば、電極１１ｅに指を触れると、それに接続されている人体内信号送信機１１ｄから、人体Ｂｄを介して、ＰＬＵコードおよび個体識別情報によって変調されたＦＭ電波を受信する。詳述すると、人体内信号送信機１１ｄ内の人体内信号送信部８３ａによりＰＬＵコードおよび個体識別情報によって変調されたＦＭ電波が、人体内信号送信部８３ａに接続されている電極１１ｅから、人体Ｂｄを介して電極８９に送信されて、人体内信号受信部８４にて受信され、ＰＬＵコードおよび個体識別情報が復調される。そして、ＰＬＵコードと個体識別情報とがＲＡＭ７２に記憶される。
尚、人体内信号送信機１２ｄおよび電極１２ｅ、または人体内信号送信機１３ｄおよび電極１３ｅについては、それぞれ、人体内信号送信機１１ｄおよび電極１１ｅに対応する。
【００６１】
また、携帯記憶ユニット８は、図１６（ｂ）に示すように、店員が例えば、電極１ｇに指を触れて、それに接続されている人体内信号受信機１ｆから、人体Ｂｄを介して、後述するデータ送信要求信号を受信すると、自己のＩＤと共に、ＰＬＵコードおよび個体識別情報によって変調されたＦＭ電波を人体内信号送信機１ｆへ送信する。詳述すると、人体内信号送信機１ｆ内の人体内信号送信部８３ｂによりデータ送信要求信号によって変調されたＦＭ電波が、人体内信号送信部８３ｂに接続されている電極１ｇから、人体Ｂｄ、電極８９を介して人体内信号受信部８４に送信されると、人体内信号送信部８３により、自己のＩＤと共に、ＰＬＵコードおよび個体識別情報によって変調されたＦＭ電波が、電極８８、人体Ｂｄを介して、人体内信号受信部８４ｂに接続されている電極１ｇへ送信され、該電波が人体内信号送信機１ｆ内の人体内信号受信部８４ｂに受信される。
尚、人体内信号受信機２ｆおよび電極２ｇ、または人体内信号送信機３ｆおよび電極３ｇについては、それぞれ、人体内信号受信機１ｆおよび電極１ｇに対応する
【００６２】
一方、図１４に示すように、人体内信号受信機１ｆが、親機１の操作面（店員側）下部に配置される。また、電極１ｇが人体内信号受信機１ｆに接続され、親機１の操作面（店員側）の右下に、店員が接触可能に配置される。また、図示を省略されているが、人体内信号受信機２ｆ、３ｆが、子機２、３の操作面（店員側）下部に配置される。また、電極２ｇ、３ｇが人体内信号受信機２ｆ、３ｆに接続され、親機１の操作面（店員側）の右下に、店員が接触可能に配置される。人体内信号受信機１ｆ、２ｆ、３ｆは、親機１、子機２、３に対応して配置されると共に、図１２に示すように、ＬＡＮ１０を介してコントローラ５に接続される。
【００６３】
人体内信号受信機１ｆは、図１６（ｂ）に示すように、内部に人体内信号送信部８３と同構成の人体内信号送信部８３ｂおよび人体内信号受信部８４ｂと同構成の人体内信号受信部８４ｂを備え、電極１ｇに図示しないタッチセンサを併設し、タッチセンサによって、携帯記憶ユニット８を利き腕に装着した店員が電極１ｇに触れたことを検知して、人体内信号送信部８３ｂからデータ送信要求信号を出力する。
【００６４】
そして、人体内信号受信機１ｆは、携帯記憶ユニット８が上述したデータ送信要求データを受け付けて人体Ｂｄを介して送信した、携帯記憶ユニット８のＩＤ、ＰＬＵコードおよび個体識別情報によって変調されたＦＭ電波を受信する。詳述すると、人体内信号送信機１１ｄ内の人体内信号送信部８３により、携帯記憶ユニット８のＩＤ、ＰＬＵコードおよび個体識別情報によって変調されたＦＭ電波が、電極８８、人体Ｂｄ、電極１ｇを介して人体内信号受信部８４ｂに受信され、携帯記憶ユニット８のＩＤ、ＰＬＵコードおよび個体識別情報が復調される。
【００６５】
そして、人体内信号受信機１ｆは、自己のＩＤ番号と共に、携帯記憶ユニット８のＩＤ、ＰＬＵコードおよび個体識別情報をコントローラ５に送信する。コントローラ５は、受信したＩＤ番号を有する超音波受信機が配置されている電子秤に、親機１を介して、受信した、超音波受信機のＩＤ、携帯記憶ユニット８のＩＤ、ＰＬＵコードおよび個体識別情報を送信する。
【００６６】
また、人体内信号受信機１ｆ、２ｆ、３ｆは、第１の実施例における超音波受信機１ａ、２ａ、３ａと同様に、内部にＲＡＭを設けており、人体内信号受信機１ｆ、２ｆ、３ｆのＩＤ、携帯記憶ユニット８のＩＤ、ＰＬＵコードおよび個体識別情報を記憶することができる。
【００６７】
次に、本実施例におけるラベル発行システムの動作を、図１１に示すフローチャートおよび図１４を参照して説明する。
尚、本実施例におけるラベル発行システムの動作は、第１の実施例におけるラベル発行システムの動作と類似しているので、相違点のみ説明する。
【００６８】
ステップＳＰ２にて、店員が、購入希望商品を、ショーケース４の中にある、購入希望商品が収納されているパレットから取り出す。ここでは、図１４に示すように、パレット１１に購入希望商品が収納されているとする。次に、店員は、利き腕の指を、パレット１１に取り付けられている電極１ｇに触れてから、購入希望商品をショーケース４の中から取り出す。このとき、電極１ｇに人の指が接触し、人体内信号受信部８４が人体内信号送信機１１ｄから出力されるＰＬＵコードおよび個体識別情報により変調されたＦＭ電波を受信し、ＰＬＵコードおよび個体識別情報がＲＡＭ７２に記憶される（ステップＳＰ３）。
【００６９】
次に、店員は、親機１または子機２、３のうち、購入希望商品の近くにある電子秤か、または空いている電子秤があるときに、その電子秤に接続されている電極に指を触れる。ここでは、図１４に示すように、親機１が空いていて、親機１によって計量が行われるものとする。このとき、店員は電極１ｇに指を触れることになる。そして、電極１ｇに併設されたタッチセンサによって、店員が電極１ｇに触れたことが検知され、人体内信号受信機１ｆが、人体内信号受信部８４にデータ送信要求信号を送信する。人体内信号受信部８４は該データ送信要求信号を受信すると、ＣＰＵ８７はＲＡＭ７２から、携帯記憶ユニットのＩＤ、ＰＬＵコードおよび個体識別情報を読み出し、人体内信号送信部８３が、携帯記憶ユニット８のＩＤと共に、ＰＬＵコードおよび個体識別情報を人体内信号受信部８４ｂに送信する（ステップＳＰ４）。
【００７０】
次に、店員は、親機１の秤皿１ｂの上に購入希望商品を載せる（ステップＳＰ５）。ここでは、図１４に示すように、親機１が空いていて、親機１によって計量が行われるものとする。一方、人体内信号受信機１ｆは、携帯記憶ユニット８のＩＤと共に、ＲＡＭ７２に記憶されているＰＬＵコードおよび個体識別情報をＦＭ電波によって受信する（ステップＳＰ６）。そして、人体内信号受信機１ｆは、秤番号と共に、受信した携帯記憶ユニット８のＩＤ、ＰＬＵコードおよび個体識別情報をコントローラ５に送信する（ステップＳＰ７）。
【００７１】
このように、上記実施例によれば、人体内信号伝送により、客の購入希望商品が収納されているパレットに取り付けられている人体内信号送信機から発信されるＰＬＵコードおよび個体識別情報が、携帯記憶ユニット８に記憶され、人体内信号受信機によって、商品と一緒に、計量される電子秤に設定されて、該ＰＬＵコードに対応する商品データおよび個体識別情報が、商品ラベルに印字、発行されるので、1つのＰＬＵコードに対して同時に異なる個体識別情報を持つ商品が店頭に並んでも、それぞれの個体識別情報を確実に商品ラベルに印字させることができる。
特に、店員が人体内信号受信機に接続している電極に、指が接触したことを検知するセンサを設けて、指が電極に接触すると、携帯記憶ユニット８にデータ送付要求信号を送信し、それを受けて、携帯記憶ユニット８が人体内信号受信機にＰＬＵコードおよび個体識別情報を送信するので、携帯記憶ユニット８の通信動作が、店員が電極に指を触れたときのみ行われるようになり、携帯記憶ユニット８の省電力化を図ることができる。
【００７２】
（ａ）尚、超音波受信機１ａ、２ａ、３ａや人体内信号受信機１ｆ、２ｆ、３ｆは、ＬＡＮ１０を経由せずにラベル発行機でもある電子秤１、２、３を直接信号線によって接続して通信できるようにしてもよい。
【００７３】
（ｂ）また、超音波受信機１ａ、２ａ、３ａ、人体内信号受信機１ｆ、２ｆ、３ｆが受信機能のみならず、送信機能も備え、また、超音波送信機１１ｂ、１２ｂ、１３ｂ、人体内信号送信機１１ｄ、１２ｄ、１３ｄが、送信機能のみならず、受信機能も備えることにより、品出しの際に入荷品に付いているラベルから印字部１１４が設定モードにて個体識別情報を読み取って、携帯記憶ユニット７または８に送信して該情報を記憶させて、超音波受信機１ａ、２ａ、３ａ、または人体内信号受信機１ｆ、２ｆ、３ｆに携帯記憶ユニット７または８から送信し、該データを記憶、設定させるようにしてもよい。その際の通信データは設定用のコマンドを含む。
また必要であれば、ＰＬＵコードも同様に設定できるようにしておくとよい。
【００７４】
以上、本発明の実施例について図面を参照して詳述したが、具体的な構成はこの実施例に限られるものではなく、本発明の要旨を逸脱しない範囲での設計変更も含まれる。
【図面の簡単な説明】
【００７５】
【図１】本発明の第１の実施例におけるラベル発行システムの構成を示すブロック図である。
【図２】本発明の第１および第２の実施例における客側から見た親機１および子機２、３のショーケース４への配置を示す図である。
【図３】本発明の第１の実施例における客側から見た親機１と、ショーケース４内のパレット１１〜１３と電子棚札１１ａ〜１３ａを示す外観図である。
【図４】本発明の第１および第２の実施例における電子棚札１１ａ〜１３ａの構成を示すブロック図である。
【図５】同実施例における電子棚札１１ａ〜１３ａの表示内容を示す図である。
【図６】本発明の第１の実施例における店員側から見た親機１と、ショーケース４内のパレット１１〜１３と超音波送信機１１ｂ〜１３ｂを示す外観図である。
【図７】同実施例における携帯記憶ユニット７の外観と構成を示す図である。
【図８】本発明の第１および第２の実施例における親機１および子機２、３の構成を示すブロック図である。
【図９】同実施例における親機１の店員用表示器１ｄの表示内容を示す図である。
【図１０】同実施例における商品ラベル９の印字内容を示す図である。
【図１１】同実施例におけるラベル発行システムの処理の概要を説明するフローチャートである。
【図１２】本発明の第２の実施例におけるラベル発行システムの構成を示すブロック図である。
【図１３】人体内信号伝送の概念と、同実施例における人体内信号送信部８３および人体内信号受信部８４の構成を示すブロック図である。
【図１４】同実施例における店員側から見た親機１と、ショーケース４内のパレット１１〜１３と人体内信号送信機１１ｆ〜１３ｆを示す外観図である。
【図１５】同実施例における携帯記憶ユニット８の外観と構成を示す図である。
【図１６】同実施例における人体内信号伝送の概念と動作を示すブロック図である。
【符号の説明】
【００７６】
１・・・電子秤（親機）（ラベル発行装置）（情報設定手段）、１ａ・・・超音波受信機（ラベル発行装置）、１ｂ・・・秤皿、１ｃ・・・客用表示器、１ｄ・・・店員用表示器、１ｅ・・・タッチパネル、２、３・・・電子秤（子機）（ラベル発行装置）、２ａ、３ａ・・・超音波受信機（ラベル発行装置）２ｂ、３ｂ・・・秤皿、２ｃ、３ｃ・・・客用表示器、２ｄ、３ｄ・・・店員用表示器、２ｅ、３ｅ・・・タッチパネル、１ｆ、２ｆ、３ｆ・・・人体内信号受信機（ラベル発行装置）、１ｇ、２ｇ、３ｇ、１１ｅ、１２ｅ、１３ｅ、８８、８９・・・電極、４・・・ショーケース、５・・・コントローラ（ラベル発行装置）（情報設定手段）、５ａ・・・ジャンクションボックス、６・・・２線通信ライン（情報設定手段）、７、８・・・携帯記憶ユニット（携帯ユニット）、７ａ・・・超音波ユニット、７ｂ・・・液晶表示部、７ｃ・・・リストバンド、７ｄ・・・モード切換ボタン、７ｅ・・・リセットボタン、８ａ・・・人体内信号伝送ユニット、９・・・商品ラベル、１０、ＬＡＮ、１１、１２、１３・・・パレット、１１ａ、１２ａ、１３ａ・・・電子棚札（商品情報送信部）、１１ｂ、１２ｂ、１３ｂ・・・超音波送信機（商品情報送信部）、１１ｃ、１２ｃ、１３ｃ・・・近接センサ、１１ｄ、１２ｄ、１３ｄ・・・人体内信号送信機（商品情報送信部）、７１、８１、１３３・・・ＲＯＭ、７２、１３５・・・ＲＡＭ、７３・・・超音波送信部、７４・・・超音波受信部、７５・・・表示制御部、７６・・・操作部、７７、８７、１３１・・・ＣＰＵ、８３、８３ａ、８３ｂ・・・人体内信号送信部、８４、８４ｂ・・・人体内信号受信部、１０２・・・ＣＰＵ、１０４・・・ＲＯＭ、１０６・・・ＲＡＭ、１０８・・・計量部（計量手段）、１１０・・・ＬＡＮボード、１１２・・・操作表示部、１１４・・・印字部、１２２・・・集計ファイル、１２３・・・ＰＬＵ（Price  Look  Up）ファイル（商品ファイル）、１２４・・・プリセットキーファイル、１３０・・・数値表示部、１３２・・・品名ラベル、１３４・・・ＰＯＰ（Point  Of  Purchase）ラベル、１３６・・・単価表示部、１３７・・・電磁誘導通信部、４２１、４２２、４２３・・・店員用表示欄、４６１、４６２、４６３・・・プリセットキー、４８１、４８２、４８３・・・テンキー、８３１・・・ＦＭ（Frequency  Modulation）変調部、８３２、８４１・・・アンプ、８４２・・・ＦＭ復調部、Ｂｄ・・・人体
【図１】
2005316863.tif 000003
【図２】
2005316863.tif 000004
【図３】
2005316863.tif 000005
【図４】
2005316863.tif 000006
【図５】
2005316863.tif 000007
【図６】
2005316863.tif 000008
【図７】
2005316863.tif 000009
【図８】
2005316863.tif 000010
【図９】
2005316863.tif 000011
【図１０】
2005316863.tif 000012
【図１１】
2005316863.tif 000013
【図１２】
2005316863.tif 000014
【図１３】
2005316863.tif 000015
【図１４】
2005316863.tif 000016
【図１５】
2005316863.tif 000017
【図１６】
2005316863.tif 000018